(57)【要約】【課題】携帯電話機がＧＰＳ等の位置情報取得機能を備えている場合に、目的地までのナビゲーションを視覚的あるいは直感的に行なうことにより、ナビゲーションの利便性を高める。【解決手段】地図表示モードと電話モードとを切替設定するモード切替設定手段（表示モード切替設定手段１０）と、電話番号を入力する数字キー（操作ボタン１５）と、各数字キーの表面から視認可能な発光手段（例えば２色一体型ＬＥＤ）と、各発光手段の点灯制御を行なう数字キー独立点灯制御手段１６とを備える。３行３列のマトリクス状に配設した９個の数字キーを移動方向表示キーとする。移動方向を位置情報取得機能（例えばＧＰＳ）により検出し、数字キー独立点灯制御手段１６により移動方向に対応した移動方向表示キーを点灯させる。【選択図】　　　　　図１
2004040321.tif 000002
【特許請求の範囲】
【請求項１】
位置情報取得機能を有するとともに、画像情報を表示可能な表示装置を備えた携帯電話機において、
前記位置情報取得機能を用いて前記表示装置に現在位置を地図情報として表示するための地図表示モードと通話を行うための電話モードとを切り替えて設定するためのモード切替設定手段と、
電話番号を入力するための複数の数字キーを有する入力手段と、
前記各数字キー内にそれぞれ配設され、各数字キーの表面から視認可能な発光手段と、
前記各発光手段の点灯を制御するための数字キー独立点灯制御手段とを備え、
前記数字キーのうちの９個を３行３列のマトリクス状に配設して移動方向表示キーとして設定し、
該携帯電話機の所持者の移動方向を前記位置情報取得機能により検出し、前記数字キー独立点灯制御手段により該携帯電話機の所持者の移動方向に対応した前記移動方向表示キーを点灯させることを特徴とする携帯電話機。
【請求項２】
位置情報取得機能を有するとともに、画像情報を表示可能な表示装置を備えた携帯電話機において、
前記位置情報取得機能を用いて前記表示装置に現在位置を地図情報として表示するための地図表示モードと通話を行うための電話モードとを切り替えて設定するためのモード切替設定手段と、
電話番号を入力するための複数の数字キーを有する入力手段と、
前記各数字キー内にそれぞれ配設され、各数字キーを振動させるための振動装置と、
前記各振動装置の振動を制御するための数字キー独立振動制御手段とを備え、
前記数字キーのうちの９個を３行３列のマトリクス状に配設して移動方向表示キーとして設定し、
該携帯電話機の所持者の移動方向を前記位置情報取得機能により検出し、前記数字キー独立振動制御手段により該携帯電話機の所持者の移動方向に対応した前記移動方向表示キーを振動させることを特徴とする携帯電話機。
【請求項３】
ネットワークを介して地図情報を提供する地図情報サーバに接続するためのブラウザ機能を備え、
前記数字キーのうちのいずれか１つを現在位置取得キーとして設定し、
前記携帯電話機が地図表示モードに設定されている状態で、前記現在位置取得キーが機能可能となり、該現在位置取得キーの操作により前記地図情報サーバへネットワーク接続して現在位置に関する地図情報を取得して表示手段に該地図情報を表示する現在位置取得操作手段を備えることを特徴とする請求項１または２に記載の携帯電話機。
【請求項４】
ネットワークを介して周辺情報を提供する周辺情報提供サーバに接続するためのブラウザ機能を備え、
前記移動方向表示キーに設定された数字キーをそれぞれ周辺情報取得キーとして設定し、
前記携帯電話機が前記地図表示モードに設定されている状態で、前記周辺情報取得キーが機能可能となり、該周辺情報取得キーの操作により前記周辺情報提供サーバへネットワーク接続して、操作された周辺情報取得キーに対応する移動方向に関する周辺情報を取得し、前記表示手段に該周辺情報を表示する移動方向周辺情報取得手段を備えることを特徴とする請求項１乃至３のうちの何れか一項に記載の携帯電話機。
【請求項５】
前記位置情報取得機能を用いたナビゲーションを可能とするとともに、前記発光手段をそれぞれ複数色で発光可能とし、
前記位置情報取得機能を用いてナビゲーションを行なう場合に、前記移動方向に対応した前記移動方向表示キーにおける発光手段の発光色を目的地との距離に応じて変化させる目的地接近表示手段を備えることを特徴とする請求項１に記載の携帯電話機。
【請求項６】
前記位置情報取得機能を用いてナビゲーションを行なう場合に、該携帯電話機の所持者が停滞すると、前記移動方向に対応した前記移動方向表示キーにおける発光手段の発光を中止するとともに、前記移動方向表示キー以外の数字キーの発光手段を点灯させ、該数字キーにおける発光手段の発光色を目的地との距離に応じて変化させる停滞時目的地接近表示手段を備えることを特徴とする請求項５に記載の携帯電話機。
【発明の詳細な説明】
【０００１】
【発明の属する技術分野】
本発明は、携帯電話機に関し、特に、ＧＰＳ等の位置情報取得機能により位置情報を取得するための位置情報取得手段を備えた携帯電話機に関するものである。
【０００２】
【従来の技術】
従来の携帯電話機においては、発信番号を入力するための数字キーは、専ら電話番号を入力する場合や、Ｅメールなどのメッセージを入力するための文字入力などの用途に用いられている。
【０００３】
また、ＧＰＳなどの位置情報取得機能を備えた携帯電話機も知られているが、この携帯電話機を用いて目的地まで移動する際には、携帯電話機のＬＣＤ等の表示装置に表示される地図表示を見ながら目的地まで移動する必要があった。
【０００４】
【発明が解決しようとする課題】
しかし、上述した従来の携帯電話機の表示装置は、パーソナルコンピュータの表示装置と比較してかなり小型となっているため、ＧＰＳなどの位置情報取得機能を備えた携帯電話機において、ＬＣＤ等の表示装置に表示される地図表示を見ながら目的地まで移動する場合に表示装置が見づらいという問題があった。
【０００５】
すなわち、携帯電話の使用者が目的地まで移動する際に、限られた表示面積しか有しない表示装置に表示される地図情報を見て移動方向を確認したり、周辺情報を確認するのは面倒であった。
【０００６】
本発明は、上述した問題点に鑑み提案されたもので、ＧＰＳ等の位置情報取得機能を備えた携帯電話機により目的地までのナビゲーションを行なう上で、そのナビゲーションを視覚的あるいは直感的に行なうことによりナビゲーションの利便性を高めることを可能にした携帯電話機を提供することを目的とする。
【０００７】
【課題を解決するための手段】
本発明に係る携帯電話機は、上述した目的を達成するため、以下の特徴点を備えている。
すなわち、本発明に係る携帯電話装置は、位置情報取得機能を有するとともに、画像情報を表示可能な表示装置を備えた携帯電話機において、前記位置情報取得機能を用いて前記表示装置に現在位置を地図情報として表示するための地図表示モードと通話を行うための電話モードとを切り替えて設定するためのモード切替設定手段と、電話番号を入力するための複数の数字キーを有する入力手段と、前記各数字キー内にそれぞれ配設され、各数字キーの表面から視認可能な発光手段と、前記各発光手段の点灯を制御するための数字キー独立点灯制御手段とを備え、前記数字キーのうちの９個を３行３列のマトリクス状に配設して移動方向表示キーとして設定し、該携帯電話機の所持者の移動方向を前記位置情報取得機能により検出し、前記数字キー独立点灯制御手段により該携帯電話機の所持者の移動方向に対応した前記移動方向表示キーを点灯させることを特徴とするものである。
【０００８】
また、本発明に係る携帯電話装置は、位置情報取得機能を有するとともに、画像情報を表示可能な表示装置を備えた携帯電話機において、前記位置情報取得機能を用いて前記表示装置に現在位置を地図情報として表示するための地図表示モードと通話を行うための電話モードとを切り替えて設定するためのモード切替設定手段と、電話番号を入力するための複数の数字キーを有する入力手段と、前記各数字キー内にそれぞれ配設され、各数字キーを振動させるための振動装置と、前記各振動装置の振動を制御するための数字キー独立振動制御手段とを備え、前記数字キーのうちの９個を３行３列のマトリクス状に配設して移動方向表示キーとして設定し、該携帯電話機の所持者の移動方向を前記位置情報取得機能により検出し、前記数字キー独立振動制御手段により該携帯電話機の所持者の移動方向に対応した前記移動方向表示キーを振動させることを特徴とするものである。
【０００９】
また、前記携帯電話機において、ネットワークを介して地図情報を提供する地図情報サーバに接続するためのブラウザ機能を備え、前記数字キーのうちのいずれか１つを現在位置取得キーとして設定し、前記携帯電話機が地図表示モードに設定されている状態で、前記現在位置取得キーが機能可能となり、該現在位置取得キーの操作により前記地図情報サーバへネットワーク接続して現在位置に関する地図情報を取得して表示手段に該地図情報を表示する現在位置取得操作手段を備えることが好ましい。
【００１０】
また、前記携帯電話機において、ネットワークを介して周辺情報を提供する周辺情報提供サーバに接続するためのブラウザ機能を備え、前記移動方向表示キーに設定された数字キーをそれぞれ周辺情報取得キーとして設定し、前記携帯電話機が前記地図表示モードに設定されている状態で、前記周辺情報取得キーが機能可能となり、該周辺情報取得キーの操作により前記周辺情報提供サーバへネットワーク接続して、操作された周辺情報取得キーに対応する移動方向に関する周辺情報を取得し、前記表示手段に該周辺情報を表示する移動方向周辺情報取得手段を備えることが好ましい。
【００１１】
また、前記携帯電話機において、前記位置情報取得機能を用いたナビゲーションを可能とするとともに、前記発光手段をそれぞれ複数色で発光可能とし、前記位置情報取得機能を用いてナビゲーションを行なう場合に、前記移動方向に対応した前記移動方向表示キーにおける発光手段の発光色を目的地との距離に応じて変化させる目的地接近表示手段を備えることが好ましい。
【００１２】
さらに、前記携帯電話機において、前記位置情報取得機能を用いてナビゲーションを行なう場合に、該携帯電話機の所持者が停滞すると、前記移動方向に対応した前記移動方向表示キーにおける発光手段の発光を中止するとともに、前記移動方向表示キー以外の数字キーの発光手段を点灯させ、該数字キーにおける発光手段の発光色を目的地との距離に応じて変化させる停滞時目的地接近表示手段を備えることが好ましい。
【００１３】
ここで、位置情報取得機能とは、例えば、ＧＰＳ（Ｇｌｏｂａｌ　Ｐｏｓｉｔｉｏｎｉｎｇ　Ｓｙｓｔｅｍ）のことをいう。
また、３行３列に配設する数字キーは、例えば、「１」〜「９」の９個の数字キーからなる。また、前記数字キーを方位に対応する移動方向表示キーとして、「６」を東に対応させ、「４」を西に対応させ、「８」を南に対応させ、「２」を北に対応させ、「３」を北東に対応させ、「９」を南東に対応させ、「７」を南西に対応させ、「１」を北西に対応させる。さらに、「５」を現在位置取得キーあるいは周辺情報取得キーとして設定することも可能である。
【００１４】
また、発光手段とは、例えば、多色発光可能なＬＥＤ等のことをいい、例えば、緑色および赤色の２色一体型のＬＥＤを用いることにより、緑色、赤色および橙色の発光色を得ることができる。
また、振動装置とは、例えば、超小型モータ等のことをいい、数字キーに内蔵された超小型モータを回転させることにより、数字キーに振動を伝えることができる。
また、周辺情報とは、例えば、携帯電話機の所持者の現在位置から約１ｋｍ以内の施設、店舗等に関する情報などのことである。
【００１５】
【発明の実施の形態】
以下、本発明の実施形態を図面を参照して詳細に説明する。
図１〜図６は本発明に係る携帯電話の実施形態の一例であって、図１は本発明の実施形態に係る携帯電話機の構成を示すブロック図、図２は前記携帯電話機の外観を示す模式図、図３は前記携帯電話機および基地局等の概略構成を示す模式図、図４は前記携帯電話機の数字キーへの方位割当てを示す模式図、図５は前記携帯電話機の使用者が移動した場合の数字キーの点灯状態を示す模式図、図６は前記使用者が目的地まで移動する際のＬＥＤの点灯変化を示す模式図である。
【００１６】
本発明の実施形態に係る携帯電話機２３は、図１に示すように、ＧＰＳアンテナ１およびＧＰＳ受信部２を備えており、ＧＰＳ衛星からの現在位置（緯度経度）情報を受信することができる。
【００１７】
前記携帯電話機２３は、携帯電話用無線アンテナ３、携帯電話無線部４およびベースバンド処理部５を備えており、携帯電話用無線アンテナ３で受信されて携帯電話無線部４に送られた無線信号をベースバンド処理部５においてディジタル処理を行なうようにされている。
【００１８】
前記携帯電話機２３の主要制御を行なうための主要制御部Ａとして、ＣＰＵ６、ＲＯＭ７、ＲＡＭ８を備えており、各制御部の処理を行なうようにされている。
また、各種の表示を行うための表示部Ｂとして、表示制御部９、表示モード切替設定手段１０、ＬＣＤ１１（液晶表示器）を備えており、電話動作時の表示や、地図表示を行う。表示モード切替設定手段１０は、通常の電話動作時の表示と地図表示の切替処理を行うための手段である。
【００１９】
また、音声の入出力を行なうための送受話部Ｃとして、マイク１２およびスピーカー１３を備えており、マイク１２から入力されるアナログ音声信号をベースバンド処理部５に入力し、ベースバンド処理部５から出力されるアナログ音声信号をスピーカー１３より出力される。
【００２０】
各種の操作を行なうための操作部Ｄとして、キー入力制御部１４、数字キーなどの操作ボタン１５、数字キー独立点灯制御手段１６、数字キー独立振動制御手段１７、移動方向表示手段１８、目的地接近表示手段１９、停滞時目的地接近表示手段２０、ワンタッチ現在位置取得手段２１、およびワンタッチ移動方向周辺情報取得手段２２を備えている。
【００２１】
前記操作部Ｄでは、キー入力制御部１４により、数字キーなどの操作ボタン１５からの入力検出を行なう。また、数字キーは、数字キー独立点灯制御手段１６、数字キー独立振動制御手段１７、移動方向表示手段１８、目的地接近表示手段１９、および停滞時目的地接近表示手段２０により制御される。
【００２２】
前記数字キー独立点灯制御手段１６は、各数字キーに内蔵される発光手段たるＬＥＤ等を独立して点灯制御するためのものである。
前記移動方向表示手段１８は、端末使用者が移動した場合に、移動方向に対応する数字キーに内蔵された発光手段たるＬＥＤ等を点灯させるためのものである。
【００２３】
前記数字キー独立振動制御手段１７は、各数字キーに内蔵される振動装置を独立して振動させるためのものであり、前記移動方向表示手段１８により、端末使用者が移動した場合に、当該移動方向に対応する数字キーに内蔵された振動装置を振動させる。
【００２４】
前記目的地接近表示手段１９は、端末使用者が目的地に近づくにつれて、数字キーに内蔵されるＬＥＤの点灯表示色を切り替えるためのものである。
前記停滞時目的地接近表示手段２０は、移動方向を示す数字キーに割当てられていない数字キー（例えば「５」の数字キー）を、目的地までの距離に応じた色で点滅させるためのものである。
【００２５】
前記ワンタッチ現在位置取得手段２１は、例えば「５」の数字キーが押下された場合に、端末のブラウザ機能を利用して、地図情報サーバ２７（図３参照）に接続し、ＧＰＳで受信した緯度経度情報をサーバに送信するとともに、そのレスポンスとして現在位置を中心とする地図情報（地図画像データ）を受信し、ＬＣＤ１１に表示するためのものである。
【００２６】
前記ワンタッチ移動方向周辺情報取得手段２２は、現在位置の緯度経度情報と、数字キー対応した移動方向（８方向）を周辺情報提供サーバ２８（図３参照）に送信するとともに、そのレスポンスとして、例えば、端末使用者の移動方向１ｋｍ以内の施設、店舗などの周辺情報を携帯電話機に送信し、ブラウザ機能によりその周辺情報を一覧表示するための移動方向周辺情報取得手段としてワンタッチで操作可能とするものである。
【００２７】
次に、前記携帯電話機２３の外観構成について図面を参照して説明する。
前記携帯電話機２３は、図２に示すように、一般的な携帯電話機とほぼ同様の外観を備えており、スピーカー１３等からなる受話部Ｃ１、ＬＣＤ１１等からなる表示部Ｂ、数字キーなどの操作ボタン１５からなる操作部Ｄ、マイク１２等からなる送話部Ｃ２から構成されている。
【００２８】
なお、前記携帯電話機２３において、「１」〜「９」の数字キーは、図２に示すように、３行３列のマトリクス状に配置されていることを前提とする。
【００２９】
また、前記携帯電話機２３および携帯基地局等の概略構成は以下ようになっている。すなわち、前記携帯電話機２３は、図３に示すように、地球を周回しているＧＰＳ衛星２４および携帯基地局２５と無線により接続されている。前記携帯基地局２５は、交換局２６を介して、携帯電話機のＬＣＤに表示する地図画像を提供するための地図情報サーバ２７、位置情報に対するその周辺の施設、店舗等の情報を提供するための周辺情報提供サーバ２８と接続することができる。
【００３０】
また、前記携帯電話機２３における数字キーへの方位割当ては、以下のようになっている。すなわち、前記携帯電話機２３では、図４に示すように、数字キー「２」が北に対応するようにして各数字キーに方向を割当てている。すなわち、図４に示す例では、「６」を東に対応させ、「４」を西に対応させ、「８」を南に対応させ、「２」を北に対応させ、「３」を北東に対応させ、「９」を南東に対応させ、「７」を南西に対応させ、「１」を北西に対応させている。
【００３１】
なお、数字キーと方位の対応は、上述した例に限られるものではなく、数字キーの配置等に従って適宜変更して実施することも可能である。
【００３２】
次に、本実施形態に係る携帯電話機２３の使用者が移動した場合の数字キーの点灯状態を説明する。
本発明の実施形態に係る携帯電話機２３では、図５に示すように、携帯電話機の使用者が北へ向かって移動すると、北に対応する「２」の数字キーに内蔵したＬＥＤが点灯して、使用者が移動している方位を知ることができる。
【００３３】
前記携帯電話機２３には、発光手段であるＬＥＤとして緑色および赤色で発光する２色一体型のＬＥＤが用いられており、図６に示す例では、北側に目的地が存在するものとする。
【００３４】
また、前記携帯電話機２３では、図６に示すように、携帯電話機の使用者が目的地へ向かって移動すると、目的地までの距離に対応して、ＬＥＤの発光色が変化する。すなわち、目的地までの距離が３００ｍ以上の場合は、北に対応する「２」の数字キーに内蔵した緑色ＬＥＤを点灯し（パターン１）、目的地までの距離が５０ｍ〜３００ｍの場合は、北に対応する「２」の数字キーに内蔵した緑色ＬＥＤと赤色ＬＥＤを同時に点灯することにより橙色で発光させ（パターン２）、目的地までの距離が５０ｍ以下の場合は、北に対応する「２」の数字キーに内蔵した赤色ＬＥＤを点灯する（パターン３）。
【００３５】
このように、本実施形態によれば、目的地の方向に対応する数字キーのＬＥＤを発光させることにより、目的地の方向を確認できるとともに、目的地までの距離に対応してＬＥＤの発光色を変化させることにより、端末使用者に対して目的地までの大まかな距離を報知することができる。さらに、ＬＥＤを赤色で発光させることにより、目的地付近に到達していることを報知することができる。
【００３６】
次に、具体的な実施例に基づいて、本発明に係る携帯電話機における制御処理の手順を説明する。
図７〜図１０は、本発明の携帯電話機における制御処理の実施例を示すもので、図７は実施例１に係る制御処理の手順を示すフローチャート、図８は実施例２に係る制御処理の手順を示すフローチャート、図９は実施例３に係る制御処理の手順を示すフローチャート、図１０は実施例４に係る制御処理の手順を示すフローチャートである。
【００３７】
実施例１に係る制御処理では、図７に示すように、まず、表示モード切替設定手段１０により通常の電話モードから地図表示モードに設定されると（Ｓ１―１）、ＧＰＳ受信部２より初回の緯度経度情報を受信し（Ｓ１−２）、緯度経度情報をＲＡＭ８に一時保存する（Ｓ１−３）。
【００３８】
そして、受信した緯度経度情報を携帯電話機のブラウザ機能により地図情報サーバ２７に送信し、そのレスポンスとして現在位置の地図画像を受信してＬＣＤに地図表示を行い（Ｓ１−４）、ＧＰＳ受信部２より次の緯度経度情報の受信を行なう（Ｓ１−５）。
【００３９】
続いて、今回受信した緯度経度情報と一時保存している前回の緯度経度情報は一致するか否かを判断する（Ｓ１−６）。ここで、両緯度経度情報が一致しない場合には、現在位置の地図表示の更新を上記ステップＳ１−３の手順で行い（Ｓ１−７）、一時保存している前回の緯度経度情報と、今回受信した緯度経度情報に基づいて移動方向を算出し（Ｓ１−８）、今回の緯度経度情報の一時保存（前回の情報への上書き保存）を行なう（Ｓ１−９）。
【００４０】
そして、移動方向表示手段１８により、数字キー独立点灯制御手段１６に対して、対応する数字キーのＬＥＤ点灯を命令し（Ｓ１−１０）、数字キー独立点灯制御手段１６により数字キーに内蔵されたＬＥＤを点灯させ（Ｓ１−１１）、再度ステップ５（Ｓ１−５）に戻る。
【００４１】
一方、ステップＳ１−６において両緯度経度情報が一致すると判断された場合には、移動方向表示手段１８により数字キー独立点灯制御手段１６に対してＬＥＤ消灯を命令し（Ｓ１−１２）、数字キー独立点灯制御手段１６によりＬＥＤ消灯を行い（Ｓ１−１３）、再度、ステップＳ１−５に戻る。
【００４２】
このように、実施例１によれば、地図表示モードに設定された場合に、ブラウザ機能により現在位置の地図画像を受信してＬＣＤに地図表示することができ、緯度経度情報により移動方向を算出して、移動方向に対応する数字キーのＬＥＤを点灯させることで移動する方向を確認できるので、端末使用者に対して目的地の方向を報知することができる。さらに、ＬＥＤを点灯状態から消灯状態にすることで、目的地付近に到達していることを報知することができる。
【００４３】
次に、実施例２について説明する。
実施例２に係る制御処理は、実施例１に係る制御処理とほぼ同様の手順となっているが一部の処理が異なっている。すなわち、実施例２に係る制御処理では、図８に示すように、ステップＳ２−１〜ステップＳ２−９の処理は、実施例１に係る制御処理におけるステップＳ１−１〜ステップＳ１−９の処理と略同様の処理が行なわれるが、実施例１に係る制御処理で用いた数字キー独立点灯制御手段１６の代わりに、数字キー独立振動制御手段１７を用いている点が異なっている。
したがって、実施例２では、実施例１に係る制御処理とは異なる部分のみについて説明する。
【００４４】
ステップＳ２−９に続いて、移動方向表示手段１８により、数字キー独立振動制御手段１７に対して、対応するキーの振動を命令し（Ｓ２−１０）、数字キー独立振動制御手段１７により数字キーに内蔵された振動装置を振動させ（Ｓ２−１０）、再度、ステップＳ２−５に戻る。
【００４５】
また、ステップＳ２−６において、両緯度経度情報が一致すると判断された場合には、移動方向表示手段１８により、数字キー独立振動制御手段１７に対して、振動停止を命令し（Ｓ２−１２）、数字キー独立振動制御手段１７により振動停止を行い（Ｓ２−１３）、再度、ステップＳ２−５に戻る。
【００４６】
以上のように、実施例２によれば、地図表示モードに設定された場合に、ブラウザ機能により現在位置の地図画像を受信してＬＣＤに地図表示することができ、緯度経度情報により移動方向を算出して、移動方向に対応する数字キーを振動させることで移動する方向を確認できるので、端末使用者に対して目的地の方向を報知することができる。さらに、数字キーを振動状態から停止状態にすることで、目的地付近に到達していることを報知することができる。
【００４７】
次に、実施例３について説明する。
実施例３に係る制御処理は、図９に示すように、まず、表示モード切替設定手段１０により、通常の電話モードから地図表示モードに設定されると（Ｓ３−１）、キー入力制御部１４により、数字キー「１」〜「３」、「４」、「６」、「７」〜「９」の入力検出を行う（Ｓ３−２）。そして、入力があるか否かを判断し（Ｓ３−３）、入力がなければ、ステップＳ３−２に戻る。
【００４８】
一方、入力がある場合には、ワンタッチ移動方向周辺情報取得手段２２によりブラウザ接続を行い、入力された数字キーに対応する方向に存在する施設、店舗等の周辺情報を周辺情報提供サーバ２８から受信し（Ｓ３−４）、取得した周辺情報をＬＣＤに一覧表示する（Ｓ３−５）。続いて、使用者がＬＣＤに表示された周辺情報一覧に対する選択操作を行なうと、当該選択操作を検出し（Ｓ３−６）、ナビゲーションを開始して、選択された目的地に到達するまでＬＣＤに地図表示を行なう（Ｓ３−７）。
【００４９】
以上のように、実施例３によれば、地図表示モードに設定された場合に、数字キーに対応する方向に存在する施設、店舗等の周辺情報をＬＣＤに一覧表示をして、それを選択するだけで選択された目的地に到達するまでをナビゲーションするようにしたので、容易に目的地に到達することができる。
【００５０】
次に、実施例４について説明する。
実施例４に係る制御処理は、図１０に示すように、まず、表示モード切替設定手段１０により、通常の電話モードから地図表示モードに設定されると（Ｓ４−１）、携帯電話使用者の操作をトリガにして目的地までのナビゲーションを開始する（Ｓ４−２）。そして、ＧＰＳ受信部２より緯度経度情報の受信を行い（Ｓ４−３）、現在位置の緯度経度情報と目的地の緯度経度情報に基づいて、目的地までの距離を算出する（Ｓ４−４）。
【００５１】
続いて、目的地接近表示手段１９により、数字キー独立点灯制御手段１６に対して、目的地までの距離に応じて、段階的に移動方向に対応するキーのＬＥＤ表示色の切替えを命令し（Ｓ４−５）、再度、ステップＳ４−３に戻る。
【００５２】
以上のように、実施例４によれば、地図表示モードに設定された場合に、ブラウザ機能により現在位置の地図画像を受信してＬＣＤに地図表示することができ、現在位置の緯度経度情報と目的地の緯度経度情報に基づいて、目的地までの距離に応じて段階的に移動方向に対応する数字キーのＬＥＤを点灯させることで、容易に目的地までの距離感と方向を報知することができる。
【００５３】
【発明の効果】
以上説明したように、本発明の請求項１〜６に記載の携帯電話機によれば、携帯電話機の所持者の移動方向に対応した移動方向表示キーを点灯させ、あるいは振動させることにより、目的地までのナビゲーションを視覚的あるいは直感的に行い、ナビゲーションの利便性を高めることが可能となる。
【００５４】
詳しくは、本発明によれば、携帯電話機に現在位置を地図情報として表示し、且つ数字キーのうちの９個を３行３列のマトリクス状に配設するとともに該数字キー内にＬＥＤ等の発光手段を配置して、移動方向表示キーとして設定することで、目的地の方向に対応した移動方向表示キーを発光させることで、目的地の方向を容易に報知することができる。
【００５５】
また、本発明によれば、携帯電話機に現在位置を地図情報として表示し、且つ数字キー内に各数字キーを振動させるための振動装置を配置して、移動方向に対応した前記移動方向表示キーを振動させることで、目的地の方向を容易に報知することができる。
【００５６】
また、本発明によれば、数字キーのうちのいずれか１つを現在位置取得キーとして設定し、前記地図情報サーバへネットワーク接続して現在位置に関する地図情報を取得して表示手段としてのＬＣＤなどに該地図情報を表示するようにしたので、前記現在位置取得キーを操作することにより現在位置に関する地図情報をワンタッチで表示させることができる。
【００５７】
また、本発明によれば、移動方向表示キーに設定された数字キーをそれぞれ周辺情報取得キーとして設定し、前記周辺情報提供サーバへネットワーク接続して操作された周辺情報取得キーに対応する移動方向に関する周辺情報を取得し、前記表示手段に該周辺情報を表示するようにしたので、前記周辺情報取得キーを操作することにより、操作した周辺情報取得キーに対応する方向に存在する施設、店舗等の周辺情報を一覧表示して、直感的かつ容易に目的地を選択することができる。このため、目的地までのナビゲーション設定が極めて容易となる。
【００５８】
また、本発明によれば、位置情報取得機能を用いたナビゲーションを可能とするとともに、前記発光手段をそれぞれ複数色で発光可能とし、前記位置情報取得機能を用いてナビゲーションを行なう場合に、前記移動方向に対応した前記移動方向表示キーにおける発光手段の発光色を目的地との距離に応じて変化させるようにしたので、表示装置に表示された地図情報を常時確認することなく、移動方向表示キーにおける表示色の変化により、目的地への接近度合を直感的かつ視覚的に把握することができる。
【００５９】
また、本発明によれば、位置情報取得機能を用いてナビゲーションを行なう場合に、該携帯電話機の所持者が停滞すると、前記移動方向に対応した前記移動方向表示キーにおける発光手段の発光を中止するとともに、前記移動方向表示キー以外の数字キーの発光手段を点灯させ、該数字キーにおける発光手段の発光色を目的地との距離に応じて変化させるようにしたので、携帯電話機の使用者が目的地への移動途中で停滞した場合に、移動方向に対応する移動方向表示キーに内蔵される発光手段は消灯し、他の数字キーの発光手段の点灯表示色が目的地との距離に応じて段階的に変化するので、使用者が停滞した場合であっても目的地までの距離を報知することができる。
以上のように、本発明によれば優れた効果を奏し得る。
【図面の簡単な説明】
【図１】本発明の実施形態に係る携帯電話機の構成を示すブロック図である。
【図２】前記携帯電話機の外観を示す模式図である。
【図３】前記携帯電話機および基地局等の概略構成を示す模式図である。
【図４】前記携帯電話機の数字キーへの方位割当てを示す模式図である。
【図５】前記携帯電話機の使用者が移動した場合の数字キーの点灯状態を示す模式図である。
【図６】使用者が目的地まで移動する際のＬＥＤの点灯変化を示す模式図である。
【図７】本発明の実施例１に係る携帯電話機の制御処理の手順を示すフローチャートである。
【図８】本発明の実施例２に係る携帯電話機の制御処理の手順を示すフローチャートである。
【図９】本発明の実施例３に係る携帯電話機の制御処理の手順を示すフローチャートである。
【図１０】本発明の実施例４に係る携帯電話機の制御処理の手順を示すフローチャートである。
【符号の説明】
１　ＧＰＳアンテナ
２　ＧＰＳ受信部
３　携帯電話用無線アンテナ
４　携帯電話無線部
５　ベースバンド処理部
６　ＣＰＵ
７　ＲＯＭ
８　ＲＡＭ
９　表示制御部
１０　表示モード切替設定手段
１１　ＬＣＤ
１２　マイク
１３　スピーカー
１４　キー入力制御部
１５　操作ボタン
１６　数字キー独立点灯制御手段
１７　数字キー独立振動制御手段
１８　移動方向表示手段
１９　目的地接近表示手段
２０　停滞時目的地接近表示手段
２１　ワンタッチ現在位置取得手段
２２　ワンタッチ移動方向周辺情報取得手段
２３　携帯電話機
２４　ＧＰＳ衛星
２５　携帯基地局
２６　交換局
２７　地図情報サーバ
２８　周辺情報提供サーバ
Ａ　主要制御部
Ｂ　表示部
Ｃ　送受話部
Ｃ１　受話部
Ｃ２　送話部
Ｄ　操作部
【図１】
2004040321.tif 000003
【図２】
2004040321.tif 000004
【図３】
2004040321.tif 000005
【図４】
2004040321.tif 000006
【図５】
2004040321.tif 000007
【図６】
2004040321.tif 000008
【図７】
2004040321.tif 000009
【図８】
2004040321.tif 000010
【図９】
2004040321.tif 000011
【図１０】
2004040321.tif 000012